(57)【要約】【課題】土圧の詳しい分析結果に基づき外周面に緩和材を設けて、少ない時間や費用で埋設作業が行える中空構造物の埋設方法を提供する。【解決手段】緩和材３を中空構造物１の外周面１ａに設ける時に、中空構造物１の設置面２側の端面を、中空構造物１の軸線１ｃと直交する断面において、軸線１ｃを通る鉛直線１ｂと接合線４との交点１８を通る水平線１７に対し３０°の角度をなして、交点１８を通り水平線１７と交差する端面線４上に位置させる。そして、従来の中空構造物の外周面の全面に設ける埋設方法よりも緩和材３の使用量を少なくして、中空構造物１の埋設作業を少ない時間および費用で行えるようにする。しかも、緩和材３の使用量を少なくしても、実験結果から、中空構造物１に作用する鉛直荷重が大きくなることがなく、最大曲げモーメントが大きくなることもない。【選択図】　　　図１
2004044371.tif 000002
【特許請求の範囲】
【請求項１】
プレキャスト部材をアーチ状に設置してなる中空構造物を、水平の設置面へ設置した後に埋め戻しにて埋設する時の埋設方法であり、
前記中空構造物は、そのアーチ状の部分を幅方向に対向立設した両側壁部材とこの両側壁部材の上端に連結した上壁部材とから構成していると共に、前記両側壁部材の下端部である脚部を前記設置面に固定しており、
前記上壁部材と両側壁部材との接合面は、前記中空構造物の軸線と直交する断面において、その軸線と交差する鉛直線に対し上方から４５°の角度で下方へ振れた位置を延びて前記鉛直線と交差する接合線上に位置しており、
前記埋め戻し時に生じる土圧の緩和用である緩和材を、埋め戻し前の段階で、前記中空構造物上部の外周面に、その外周面に当接して沿う状態で設けることとし、
前記中空構造物上部の外周面に設ける時に、前記緩和材の前記設置面側の端面は、前記中空構造物の軸線と直交する断面において、前記鉛直線と前記接合線との交点を通る水平線に対し３０°の角度をなして、前記交点を通り前記水平線と交差する端面線上に位置させることを特徴とする中空構造物の埋設方法。
【発明の詳細な説明】
【０００１】
【発明の属する技術分野】
この発明は、プレキャスト部材をアーチ状に設置してなる中空構造物を埋め戻しにて埋設する時の埋設方法に関するものである。
【０００２】
【従来の技術】
従来の埋設方法では、埋め戻し時に生じる土圧の緩和用である緩和材を、中空構造物の外周面の全面に、その外周面に当接して沿う状態で設けるものが知られている。
【０００３】
【特許文献】特開平１０−１８３６５２号公報
【０００４】
【発明が解決しようとする課題】
従来の埋設方法では、前述したように、中空構造物の外周面の全面に緩和材を設けているので、そのための多くの緩和材と多くの作業時間とが必要になって、埋設作業全体を多くの時間および費用が必要なものにしていた。
【０００５】
一方、従来では、中空構造物の外周面に加わる土圧に関し特に詳細な分析をしておらず、緩和材を外周面に設けて行う中空構造物の埋設方法としては特に確立されたものはなかった。従って、従来の埋設方法での緩和材は、前述したように、単純に外周面の全面に設けていた。
【０００６】
この発明は前述した事情に鑑みて創案されたもので、その目的は土圧の詳しい分析結果に基づき外周面に緩和材を設けて、少ない時間および費用で埋設作業を行えるようにする中空構造物の埋設方法を提供することにある。
【０００７】
【課題を解決するための手段】
この発明の中空構造物の埋設方法では、埋め戻し時に生じる土圧の緩和用である緩和材を、埋め戻し前の段階で、中空構造物上部の外周面にその外周面に当接して沿う状態で設けることにする。
【０００８】
この発明の埋設方法における中空構造物は、そのアーチ状の部分を幅方向に対向立設した両側壁部材とこの両側壁部材の上端に連結した上壁部材とから構成していると共に、両側壁部材の下端部である脚部を設置面に固定している。
【０００９】
また、この中空構造物における上壁部材と両側壁部材との接合面は、中空構造物の軸線と直交する断面において、その軸線と交差する鉛直線に対し上方から４５°の角度で下方へ振れた位置を延びて鉛直線と交差する接合線上に位置している。
【００１０】
そして、緩和材を中空構造物上部の外周面に設ける時に、緩和材の設置面側の端面は、中空構造物の軸線と直交する断面において、鉛直線と接合線との交点を通る水平線に対し３０°の角度をなして、交点を通り水平線と交差する端面線上に位置させる。
【００１１】
ここでの「緩和材を中空構造物上部の外周面に設ける時に、緩和材の設置面側の端面は、中空構造物の軸線と直交する断面において、鉛直線と接合線との交点を通る水平線に対し３０°の角度をなして、交点を通り水平線と交差する端面線上に位置させる。」は、図２〜図４および図５〜図７のグラフで示した実験結果から導き出されたものである。
【００１２】
なお、この実験結果は、中空構造物の埋め戻し状態を模擬した、例えば、図１４に示す実験装置によって得たものである。
【００１３】
この図１４に示した実験装置は、表裏面に複数のひずみゲージを貼付けた半円のアーチ状模型（中空構造物）を、設置面となる部分にロードセルを介して設置すると共に、その模型の周囲に多数のアルミ棒を積み上げてアルミ棒積層体（埋め戻し地盤や盛土）を形成したものであり、埋め戻し時に生じる土圧をロードセルから得る鉛直荷重とひずみゲージから得る最大曲げモーメントとから分析しようとするものである。
【００１４】
そして、この実験装置において、模型（中空構造物）の外周面に設ける緩和材の形態を変化させることやアルミ棒の積み上げ量を変化させることにより、図２〜図４および図５〜図７の各グラフに示した実験結果を得ている。
【００１５】
図２〜図４の各グラフは、中空構造物の左右脚部に作用する荷重の合計である鉛直荷重と、土かぶり比との関係を示している。なお、土かぶり比は、中空構造物の幅寸法Ｄと積み上げ高さ寸法Ｈとの比率Ｈ／Ｄである。
【００１６】
図２に示したグラフは、半円のアーチ状に形成した模型を設置面に置いただけで、水平変位および鉛直変位を拘束すると共に、回転変位を自由とした中空構造物（タイプ１／図８参照）による実験結果である。
【００１７】
図３に示したグラフは、半円のアーチ状に形成した模型を設置面に置いて両脚部を固定し、水平変位および鉛直変位を拘束すると共に、回転変位も拘束とした中空構造物（タイプ２／図９参照）による実験結果である。
【００１８】
図４に示したグラフは、幅方向に対向立設した両側壁部材とこの両側壁部材の上端に連結した上壁部材とから半円のアーチ状に形成した模型を、設置面に置いて両脚部を固定し、水平変位および鉛直変位を拘束すると共に、回転変位も拘束とした中空構造物（タイプ３／図１０参照）による実験結果である。
【００１９】
また、この中空構造物の各タイプにおいて、中空構造物の外周面に設ける時の緩和材の形態は、中空構造物の軸線と直交する断面においてのもので、次に述べる（１）　〜（５）　の五種類である。
【００２０】
（１）　の形態（Ａ形態／図１６参照）は、設置面側の端面が設置面上に位置するようにして、緩和材を、中空構造物の外周面の全面に設けている。この形態の実験結果は、図示したグラフに下向きの三角形を結んだ線で描かれている。
【００２１】
（２）　の形態（Ｂ形態／図１７参照）は、設置面側の端面が、中空構造物の軸線を通る鉛直線と設置面との交点を通り設置面と４５°の角度をなして交差する端面線上に位置するようにして、緩和材を、中空構造物の上部の外周面に設けている。この形態の実験結果は、図示したグラフに上向きの三角形を結んだ線で描かれている。
【００２２】
（３）　の形態（Ｃ形態／図１８参照）は、設置面側の端面が、中空構造物の軸線を通る鉛直線と設置面との交点を通り設置面と３０°の角度をなして交差する端面線上に位置するようにして、緩和材を、中空構造物の上部から側部にかけた外周面に設けている。この形態の実験結果は、図示したグラフに菱形を結んだ線で描かれている。
【００２３】
（４）　の形態（Ｄ形態／図１９参照）は、板体状に形成した緩和材をその中央部が中空構造物上部の外周面に当接するようにして水平に設けている。この形態の実験結果は、図示したグラフに円形を結んだ線で描かれている。
【００２４】
（５）　の形態（Ｅ形態）は、緩和材を用いないものである。この形態の実験結果は、図示した各グラフにバツ印を結んだ線で描かれている。
【００２５】
一方、図５〜図７の各グラフでは、中空構造物のアーチ状部分の内側が引張りを受けるように作用する場合を正とした最大曲げモーメントと、土かぶり比との関係を示している。
【００２６】
ここでの図５〜図７の各グラフも、前述した図２〜図４のグラフと同様に、タイプ１〜タイプ３の各中空構造物に関してのものであると共に、緩和材の形態も同様に前述したＡ〜Ｅの五種類のものに関してである。
【００２７】
このような各図の各グラフを見て判るように、中空構造物の外周面に設ける時の緩和材の形態を前述したＣ形態（図１８参照）にしたものが好結果になっている。
【００２８】
即ち、緩和材をＣ形態として中空構造物の外周面に設けたものが、前述した１〜３の各タイプの中空構造物において埋め戻し時の土かぶり比が大きくなっても、鉛直荷重が大きくなることがないと共に、最大曲げモーメントが大きくなることもなく、前述した従来の埋設方法における緩和材を中空構造物の外周面の全面に設けた形態（グラフに下向きの三角形を結んだ線で描がいたＡ形態）と比べても、同等かそれ以上の好結果になっている。
【００２９】
このように、緩和材を中空構造物の外周面に設ける時の形態を前述のＣ形態（図１８参照）としたことにより、前述した従来の埋設方法（緩和材を中空構造物の外周面の全面に設けるＡ形態／図１６）よりも緩和材の使用量を少なくでき、少ない時間および費用で中空構造物の埋設作業を行うことができる。
【００３０】
しかも、Ｃ形態（図１８参照）として緩和材の使用量を少なくしても、前述した他の形態と比べて、鉛直荷重が大きくなることがないと共に、最大曲げモーメントが大きくなることもない。
【００３１】
また、各図のグラフを見てみると、緩和材の形態を前述したＣ形態（図１８参照）にすると共に、中空構造物を前述したタイプ３（図１０参照）にした場合が、最も良い結果になっている。
【００３２】
これらのことから、この発明の埋設方法によれば、前述したように、中空構造物１（図１０参照）は、そのアーチ状の部分を幅方向に対向立設した両側壁部材１１とこの両側壁部材１１の上端に連結した上壁部材１２とから構成すると共に、両側壁部材１１の下端部である脚部を設置面２に固定する。
【００３３】
また、この中空構造物１での上壁部材１２と両側壁部材１１との接合面１ｄは、中空構造物１の軸線１ｃと直交する断面において、その軸線１ｃと交差する鉛直線１ｂに対し上方から４５°の角度で下方へ振れた位置を延びて鉛直線１ｂと交差する接合線１６上に位置している。
【００３４】
なお、前述した実験装置で用いる模型（中空構造物）は上壁部材１２と脚部を含めた両側壁部材１１との構造物全体が半円形状であるが、実際に用いる中空構造物では両側壁部材１１の形状が異なり構造物全体が半円形状になるとは限らない。
【００３５】
従って、実験装置での模型（中空構造物）を実際に用いる中空構造物でのアーチ状の部分と考えると、実験装置での設置面２を後述する水平線として考えることができる。
【００３６】
これらのことから、この発明の埋設方法によれば、前述したように、緩和材３を中空構造物１上部の外周面１ａに設ける時に、緩和材３の設置面２側の端面（図１８参照）は、中空構造物１の軸線１ｃと直交する断面において、鉛直線１ｂと接合線１６との交点１８を通る水平線１７に対し３０°の角度をなして、交点１８を通り水平線１７と交差する端面線４上に位置させる。
【００３７】
【発明の実施の形態】
以下、この発明の中空構造物の埋設方法を、図示する一実施形態によって説明する。
【００３８】
プレキャスト部材をアーチ状に設置してなる中空構造物１を、水平の設置面２へ設置した後に埋め戻しで埋設する時において、この発明の埋設方法では、図１に示すように、中空構造物１上部の外周面１ａに、その外周面１ａに当接して沿う状態で、緩和材３を設ける。
【００３９】
この発明の埋設方法での中空構造物１は、そのアーチ状の部分を幅方向に対向立設した両側壁部材１１とこの両側壁部材１１の上端に連結した上壁部材１２とから構成していると共に、両側壁部材１１の下端部である脚部を設置面２に固定している。
【００４０】
また、この中空構造物１における上壁部材１２と両側壁部材１１との接合面１ｄは、中空構造物１の軸線１ｃと直交する断面において、その軸線１ｃと交差する鉛直線１ｂに対し上方から４５°の角度で下方へ振れた位置を延びて鉛直線１ｂと交差する接合線１６上に位置している。
【００４１】
そして、この発明の埋設方法では、埋め戻し時に生じる土圧の緩和用である緩和材３を、埋め戻し前の段階で、中空構造物１上部の外周面１ａに、その外周面１ａに当接して沿う状態で設ける。
【００４２】
しかも、緩和材３を中空構造物１上部の外周面１ａに設ける時に、緩和材３の設置面２側の端面は、中空構造物１の軸線１ｃと直交する断面において、鉛直線１ｂと接合線４との交点１８を通る水平線１７に対し３０°の角度をなして、交点１８を通り水平線１７と交差する端面線４上に位置させる。
【００４３】
ここでの緩和材３を中空構造物１の外周面１ａに設ける時の「緩和材３の設置面２側の端面は、中空構造物１の軸線１ｃと直交する断面において、鉛直線１ｂと接合線４との交点１８を通る水平線１７に対し３０°の角度をなして、交点１８を通り水平線１７と交差する端面線４上に位置させる。」という条件は、図２〜図４のグラフおよび図５〜図７の各グラフで示した実験結果から導き出されたものである。
【００４４】
この各グラフで示した結果を得る実験に用いる模型は、図８に示すタイプ１、図９に示すタイプ２、図１０に示すタイプ３に相当するものをアクリル製で製作し、それぞれ図２０に示すように、奥行きｂが６５ｍｍで、トンネル幅Ｄが２００ｍｍで、厚さｔが２ｍｍの半円筒形状となるように形成されている。
【００４５】
また、この各タイプ１〜３の模型の奥行き方向端部における表側と裏側とに、図１１〜図１３に示すように、複数のひずみゲージ５を貼付けておく。そして、その各ひずみゲージ５で計測した表裏のひずみの値から、各計測点に発生する曲げモーメントを検出している。なお、タイプ１とタイプ２との計測点はそれぞれ図１１と図１２とに示すように計１１箇所で、タイプ３の計測点は図１３に示すように計９箇所である。
【００４６】
この各タイプ１〜３に相当する模型を使用する実験装置６としては、図１４および図１５に示すように、両側部壁６ａと上部壁６ｂと床部６ｃとを有するボックス状のものを用いており、その床部６ｃの上面に、ロードセル７を介して多数のアルミ製ブロック８を設置しておく。
【００４７】
そして、中空構造物１の模型を支持するブロック８（中空構造物１の模型の両脚部が当接するブロック８）の底面に取付けたロードセル７と、中空構造物１の模型周辺の地盤を支持するブロック８の底面に取付けたロードセル７とにより、実験装置６の床部６ｃ（中空構造物１の模型を設置する設置面２）に作用する鉛直荷重を分布として捉えることができるようにしている。
【００４８】
この実験装置６での埋め戻し地盤（盛土）は、砂質土の二次元モデルを想定して、地盤材料にアルミ棒積層体９を用いる。このアルミ棒積層体９は、長さｂが５０ｍｍのアルミ棒１０（図１５参照）を横に並べて積み上げて形成していると共に、直径が１．６ｍｍと３．０ｍｍとの二種類のアルミ棒を重量比３：２で混合している。
【００４９】
次に、前述したような構成の中空構造物１の模型および実験装置６で導き出したものである、図２〜図４および図５〜図７の各グラフについて詳述する。
【００５０】
図２のグラフは、半円のアーチ状に形成した模型を設置面２に置いただけで、水平変位および鉛直変位を拘束すると共に、回転変位を自由とした中空構造物１（タイプ１／図８参照）による実験結果を示している。
【００５１】
また、図３に示したグラフは、半円のアーチ状に形成した模型を設置面に置いて両脚部を固定し、水平変位および鉛直変位を拘束すると共に、回転変位も拘束とした中空構造物１（タイプ２／図９参照）による実験結果を示している。
【００５２】
さらに、図４に示したグラフは、幅方向に対向立設した両側壁部材１１とこの両側壁部材１１の上端に連結した上壁部材１２とから半円のアーチ状に形成した模型を、設置面２に置いて両脚部（両側壁部材１１の下端部）を固定し、水平変位および鉛直変位を拘束すると共に、回転変位も拘束とした中空構造物１（タイプ３／図１０参照）による実験結果を示している。
【００５３】
そして、この各グラフにおいて、下向きの三角形を結んだ線の（Ａ）は、図１６に示すように、設置面２側の端面を、中空構造物１の軸線１ｃと直交する断面において、設置面２上に位置させて、緩和材３を、中空構造物１の外周面１ａの全面に設けた場合である。
【００５４】
また、上向きの三角形を結んだ線の（Ｂ）は、図１７に示すように、設置面２側の端面を、中空構造物１の軸線１ｃと直交する断面において、中空構造物１の軸線１ｃを通る鉛直線１ｂと設置面２との交点１８を通り、設置面２と４５°の角度をなして交差する端面線１５上に位置させて、緩和材３を、中空構造物１上部の外周面１ａに設けた場合である。
【００５５】
また、菱形を結んだ線の（Ｃ）は、図１８に示すように、設置面２側の端面を、中空構造物１の軸線１ｃと直交する断面において、中空構造物１の軸線１ｃを通る鉛直線１ｂと設置面２との交点１８を通り、設置面２と３０°の角度をなして交差する端面線４上に位置するようにして、緩和材３を、中空構造物１の上部から側部にかけた外周面１ａに設けた場合である。
【００５６】
また、円形を結んだ線の（Ｄ）は、図１９に示すように、板体状に形成した緩和材３を、その中央部が中空構造物１上部の外周面１ａに当接するようにして、水平に設けた場合である。
【００５７】
また、バツ印を結んだ線の（Ｅ）は、緩和材３を用いない場合である。
【００５８】
なお、各グラフでは、中空構造物１（模型）に作用する鉛直荷重を縦軸に、土かぶり比を横軸にとっている。また、各グラフにおいて実線は、土かぶり荷重を示している。
【００５９】
ここでの鉛直荷重は、中空構造物１の左右脚部に作用する荷重の合計である。また、土かぶり比は、中空構造物１の幅寸法Ｄと積み上げ高さ寸法Ｈとの比率Ｈ／Ｄである。
【００６０】
一方、図５〜図７の各グラフでは、最大曲げモーメントを縦軸に、土かぶり比を横軸にとっている。そして、最大曲げモーメントは、中空構造物１のアーチ状部分の内側が引張りを受けるように作用する場合を正とした曲げモーメントである。また、土かぶり比は、中空構造物１の幅寸法Ｄと積み上げ高さ寸法Ｈとの比率Ｈ／Ｄである。
【００６１】
さらに、ここでの各グラフも、前述した図２〜図４の各グラフと同様に、タイプ１〜タイプ３の各中空構造物に関してのものであると共に、緩和材３の形態も同様に前述した（Ａ）〜（Ｅ）の五種類のものに関してである。
【００６２】
そして、中空構造物１（模型）に作用する鉛直荷重に関しての図２〜図４の各グラフから判ることは、土かぶり比が大きくなると、緩和材３を水平に設置する形態（Ｄ／図１９）に比べて、中空構造物１の外周面に沿って緩和材３を設置した形態（Ａ／図１６）、（Ｂ／図１７）、（Ｃ／図１８）のほうが、中空構造物１に作用する鉛直荷重は小さくなることである。
【００６３】
一方、中空構造物１（模型）に作用する最大曲げモーメントに関しての図５および図６の各グラフから、先ず判ることは、緩和材３を設置した場合に、土かぶり比が１以上において、土かぶり比の増加に伴い、最大曲げモーメントは増加していることである。
【００６４】
そして、この図５および図６の各グラフから、次に判ることは、前述した（Ａ／図１６）、（Ｃ／図１８）の形態の場合に、（Ｂ／図１７）の形態に比べて、最大曲げモーメントの増加割合は小さく、また、土かぶり比が２の時には、最大曲げモーメントは前述した（Ｄ／図１９）の形態の場合とほぼ等しい値を示すことである。
【００６５】
中空構造物１（模型）に作用する最大曲げモーメントに関しての、残りの図７のグラフから、先ず判ることは、前述した各（Ａ図１６）、（Ｂ図１７）、（Ｃ／図１８）、（Ｄ／図１９）、（Ｅ）の形態が、土かぶり比が１以上において、土かぶり比の増加に伴い、最大曲げモーメントは増加していることである。
【００６６】
そして、この図７のグラフから、次に判ることは、前述した（Ｃ）の形態の場合に、（Ａ）、（Ｂ）の形態に比べて、最大曲げモーメントの増加割合は小さく、（Ｅ）の形態とほぼ等しい値を示すことである。
【００６７】
即ち、緩和材３を（Ｃ／図１８）の形態として中空構造物１の外周面１ａに設けたものが、前述した各タイプ１〜３の中空構造物１において、埋め戻し時の土かぶり比が大きくなっても、鉛直荷重が大きくならないと共に、最大曲げモーメントも大きくなることがなく、前述した従来の埋設方法における緩和材３を中空構造物１の外周面１ａの全面に設けた（Ａ／図１６）の形態と比べても、同等かそれ以上の好結果になっている。
【００６８】
なお、各図のグラフを見てみると、緩和材３の形態を前述した（Ｃ／図１８）の形態にすると共に、中空構造物１を前述したタイプ３（図１０）にした場合が、最も良い結果になっている。
【００６９】
従って、中空構造物１としては、そのアーチ状の部分を、幅方向に対向立設した両側壁部材１１とこの両側壁部材１１の上端に連結した上壁部材１２とから構成すると共に、両側壁部材１１の下端部である脚部を中空構造物１の設置面２に固定したものにする。
【００７０】
例えば、図１に示すように、中空構造物１は、幅方向に対向立設している両側壁部材１１と、この両側壁部材１１に幅方向に跨がるように連結している上壁部材１２と、両側壁部材１１の下端部間に設けている底壁部材１３とを長手方向に連結して、内部に長手方向へ指向する中空部１４を形成したものにする。
【００７１】
この図１のように、実際に用いる中空構造物１では、両側壁部材１１の形状が異なり、構造物全体が、実験装置での模型（中空構造物）のように半円形状になるとは限らない。
【００７２】
従って、実験装置での模型（中空構造物）を実際に用いる中空構造物１でのアーチ状の部分と考えると、実験装置での設置面２を後述する水平線１７として考えることができる。
【００７３】
これらのことから、この発明の埋設方法によれば、前述したように、中空構造物１（図１および図１０参照）は、そのアーチ状の部分を幅方向に対向立設した両側壁部材１１とこの両側壁部材１１の上端に連結した上壁部材１２とから構成すると共に、両側壁部材１１の下端部である脚部を設置面２に固定する。
【００７４】
また、この中空構造物１での上壁部材１２と両側壁部材１１との接合面１ｄは、中空構造物１の軸線１ｃと直交する断面において、その軸線１ｃと交差する鉛直線１ｂに対し上方から４５°の角度で下方へ振れた位置を延びて鉛直線１ｂと交差する接合線１６上に位置している。
【００７５】
そして、この発明の埋設方法によれば、前述したように、緩和材３を中空構造物１上部の外周面１ａに設ける時に、緩和材３の設置面２側の端面（図１および図１８参照）は、中空構造物１の軸線１ｃと直交する断面において、鉛直線１ｂと接合線１６との交点１８を通る水平線１７に対し３０°の角度をなして、交点１８を通り水平線１７と交差する端面線４上に位置させる。
【００７６】
このようなこの発明の埋設方法によれば、緩和材３を中空構造物１の外周面１ａに設ける時の形態を前述の（Ｃ／図１８）の形態としたことにより、従来の埋設方法（緩和材３を中空構造物１の外周面１ａの全面に設ける（Ａ／図１６）の形態）よりも緩和材３の使用量を少なくできるので、少ない時間および費用で中空構造物１の埋設作業を行うことができる。
【００７７】
しかも、この発明のように前述した（Ｃ／図１８）の形態として緩和材３の使用量を少なくしても、前述した他の形態に比べて、鉛直荷重が大きくなることがないと共に、最大曲げモーメントが大きくなることもない。
【００７８】
【発明の効果】
この発明の埋設方法によれば、中空構造物における上壁部材と両側壁部材との接合面が、中空構造物の軸線と直交する断面において、その軸線と交差する鉛直線に対し上方から４５°の角度で下方へ振れた位置を延びて鉛直線と交差する接合線上に位置する。そして、緩和材を中空構造物上部の外周面に設ける時に、緩和材の設置面側の端面は、中空構造物の軸線と直交する断面において、鉛直線と接合線との交点を通る水平線に対し３０°の角度をなして、交点を通り水平線と交差する端面線上に位置させる。
【００７９】
そのため、前述した従来の緩和材を中空構造物の外周面の全面に設ける埋設方法よりも、この発明では緩和材の使用量を少なくできるので、少ない時間および費用で中空構造物の埋設作業を行うことができる。
【００８０】
しかも、この発明のように緩和材の使用量を少なくしても、前述した実験結果のように、外周面の全面に設ける形態等、その他の緩和材の形態に比べて、鉛直荷重が大きくなることがないと共に、最大曲げモーメントが大きくなることもない。
【図面の簡単な説明】
【図１】この発明の埋設方法によって埋設する中空構造物を示す概略図である。
【図２】中空構造物に作用する鉛直荷重と土かぶり比との関係を示すグラフである。
【図３】中空構造物に作用する鉛直荷重と土かぶり比との関係を示すグラフである。
【図４】中空構造物に作用する鉛直荷重と土かぶり比との関係を示すグラフである。
【図５】中空構造物に作用する最大曲げモーメントと土かぶり比との関係を示すグラフである。
【図６】中空構造物に作用する最大曲げモーメントと土かぶり比との関係を示すグラフである。
【図７】中空構造物に作用する最大曲げモーメントと土かぶり比との関係を示すグラフである。
【図８】中空構造物の模型を示す概略図である。
【図９】中空構造物の模型を示す概略図である。
【図１０】中空構造物の模型を示す概略図である。
【図１１】中空構造物の模型へのひずみゲージの取付け状態を示す概略図である。
【図１２】中空構造物の模型へのひずみゲージの取付け状態を示す概略図である。
【図１３】中空構造物の模型へのひずみゲージの取付け状態を示す概略図である。
【図１４】この発明の埋設方法を実施する実験装置を示す概略図である。
【図１５】図１４のＡ部拡大概略図である。
【図１６】中空構造物の外周面への緩和材の取付け状態を示す概略図である。
【図１７】中空構造物の外周面への緩和材の取付け状態を示す概略図である。
【図１８】中空構造物の外周面への緩和材の取付け状態を示す概略図である。
【図１９】中空構造物の外周面への緩和材の取付け状態を示す概略図である。
【図２０】中空構造物の模型の埋設状態を示す概略斜視図である。
【符号の説明】
１…中空構造物、１ａ…外周面、１ｂ…鉛直線、１ｃ…軸線、２…設置面、３…緩和材、４…端面線、５…ひずみゲージ、６…実験装置、６ａ…両側部壁、６ｂ…上部壁、６ｃ…床部、７…ロードセル、８…ブロック、９…アルミ棒積層体、１０…アルミ棒、１１…両側壁部材、１２…上壁部材、１３…底壁部材、１４…中空部、１５…端面線、１６…接合線、１７…水平線、１８…交点。
【図１】
2004044371.tif 000003
【図２】
2004044371.tif 000004
【図３】
2004044371.tif 000005
【図４】
2004044371.tif 000006
【図５】
2004044371.tif 000007
【図６】
2004044371.tif 000008
【図７】
2004044371.tif 000009
【図８】
2004044371.tif 000010
【図９】
2004044371.tif 000011
【図１０】
2004044371.tif 000012
【図１１】
2004044371.tif 000013
【図１２】
2004044371.tif 000014
【図１３】
2004044371.tif 000015
【図１４】
2004044371.tif 000016
【図１５】
2004044371.tif 000017
【図１６】
2004044371.tif 000018
【図１７】
2004044371.tif 000019
【図１８】
2004044371.tif 000020
【図１９】
2004044371.tif 000021
【図２０】
2004044371.tif 000022